(57)【要約】【課題】  原稿の取り忘れを確実に防止できる画像形成装置の原稿取り忘れ防止装置を提供する。【解決手段】  読み取るべき原稿を載置する原稿台６をプラテンカバー７により開閉可能に覆う画像形成装置１の原稿取り忘れ防止装置であって、プラテンカバー７に、原稿台６上の原稿の有無を認識可能な透過部２１を設けると共に、原稿読み取り時にはキャリッジ１１の移動に連動して透過部２１をプラテンカバー７の裏側から覆うカバー部材２２を設けた。【選択図】  図３
2006129141.tif 000002
【特許請求の範囲】
【請求項１】
読み取るべき原稿を載置する原稿台をプラテンカバーにより開閉可能に覆う画像形成装置の原稿取り忘れ防止装置であって、前記プラテンカバーに、前記原稿台上の原稿の有無を認識可能な透過部を設けると共に、原稿読み取り時には読み取り機構の移動に連動して前記透過部をプラテンカバーの裏側から覆うカバー部材を設けたことを特徴とする画像形成装置の原稿取り忘れ防止装置。
【請求項２】
前記画像形成装置に、前記読み取り機構を移動させるための機構移動装置を設けると共に、前記プラテンカバーに、該プラテンカバーの閉時に前記機構移動装置と連係することで前記読み取り機構とカバー部材とを連動させるカバー移動装置を設けたことを特徴とする請求項１に記載の画像形成装置の原稿取り忘れ防止装置。
【請求項３】
前記原稿台の下方に、該原稿台上に原稿が載置されていない場合には前記透過部から視認可能となるマーカー部を設けたことを特徴とする請求項１又は請求項２に記載の画像形成装置の原稿取り忘れ装置。
【発明の詳細な説明】
【技術分野】
【０００１】
この発明は、複写機やスキャナ等の画像形成装置の原稿取り忘れ防止装置に関する。
【背景技術】
【０００２】
従来から、複写機、スキャナ、及びファックス等の画像形成装置においては、読み取るべき原稿を原稿台上に載置し、その後にプラテンカバーを閉じて前記原稿を原稿台に固定すると共に外部光を遮断し、この状態で当該原稿の読み取りを行うようにしている（例えば、特許文献１参照。）。
【特許文献１】特開２００３−７８７０５号公報
【発明の開示】
【発明が解決しようとする課題】
【０００３】
しかしながら、上記従来の画像形成装置においては、原稿全体がプラテンカバーにより覆われることから、原稿読み取り後にプラテンカバーの下に隠れた原稿を取り忘れてしまうことがあるため、このような点の改善が要望されている。
そこでこの発明は、原稿の取り忘れを確実に防止できる画像形成装置の原稿取り忘れ防止装置を提供する。
【課題を解決するための手段】
【０００４】
上記課題の解決手段として、請求項１に記載した発明は、読み取るべき原稿を載置する原稿台をプラテンカバーにより開閉可能に覆う画像形成装置の原稿取り忘れ防止装置であって、前記プラテンカバーに、前記原稿台上の原稿の有無を認識可能な透過部を設けると共に、原稿読み取り時には読み取り機構の移動に連動して前記透過部をプラテンカバーの裏側から覆うカバー部材を設けたことを特徴とする。
【０００５】
この構成によれば、原稿の読み取りを終了した後に閉状態のプラテンカバーの透過部を見れば、プラテンカバーを開けることなく原稿台上の原稿の有無を認識することが可能となる。また、原稿読み取り時には読み取り機構の移動に連動して透過部がカバー部材で覆われることで、原稿に照射された光が透過部から外部に透過することによる原稿の読み取り環境の変化を防止することが可能となる。
【０００６】
請求項２に記載した発明は、前記画像形成装置に、前記読み取り機構を移動させるための機構移動装置を設けると共に、前記プラテンカバーに、該プラテンカバーの閉時に前記機構移動装置と連係することで前記読み取り機構とカバー部材とを連動させるカバー移動装置を設けたことを特徴とする。
【０００７】
この構成によれば、プラテンカバー側には何ら駆動源を必要とせず、機構移動装置の駆動力を有効利用することで、この機構移動装置と連係するカバー移動装置によりカバー部材を移動させて透過部を覆うことが可能となる。
【０００８】
請求項３に記載した発明は、前記原稿台の下方に、該原稿台上に原稿が載置されていない場合には前記透過部から視認可能となるマーカー部を設けたことを特徴とする。
【０００９】
この構成によれば、透過部からマーカー部が見えるか見えないかにより、原稿台上に原稿があるか否かを容易かつ確実に認識することが可能となる。
【発明の効果】
【００１０】
請求項１に記載した発明によれば、原稿の有無を確認するためにプラテンカバーを開閉するという煩雑な作業を省略し、かつ原稿読み取り品質への悪影響を防止した上で、原稿の取り忘れを確実に防止することができるという効果がある。
請求項２に記載した発明によれば、プラテンカバーの構造を簡素化することで、重量及びコストの低減を図ることができるとう効果がある。
請求項３に記載した発明によれば、原稿の取り忘れをより確実に防止できると共に利用者の作業負担を軽減できるという効果がある。
【発明を実施するための最良の形態】
【００１１】
以下、この発明の実施例を図面を参照して説明する。
図１，２に示すように、画像形成装置１は、その上部に原稿に印刷された画像をイメージデータとして光学的に読み取る原稿読み取り部５を備える。以下、図１における上下左右を画像形成装置１の上下左右とし、かつ図１における紙面手前側（図２における右側）を画像形成装置１の手前側、その反対側を奥側として説明する。
【００１２】
原稿読み取り部５は、装置本体２上部に構成される原稿台６と、該原稿台６（装置本体２）に対して左右方向に沿うヒンジ軸を介して上下に開閉可能に構成されるプラテンカバー７とを有してなる。前記ヒンジ軸は画像形成装置１の奥側に配されており、該装置１の手前側に立った利用者がプラテンカバー７の手前側を持ってこれを開閉操作可能である。
【００１３】
原稿台６は水平に配されたガラス板からなり、該原稿台６上にプラテンカバー７が開いた状態で原稿Ｇ（図２参照）を載置し、この状態でプラテンカバー７を閉めて原稿台６を覆うことで、前記原稿Ｇの画像を光学的に読み取る際に、該原稿Ｇがプラテンカバー７により押さえられて固定されると共に外部光が遮蔽される。
【００１４】
装置本体２の上部手前側には、表示部及び各種操作キーを有する操作パネル３（タッチパネルでもよい）が設けられており、画像形成装置１の手前側に立った利用者は、プラテンカバー７を開閉して読み取るべき原稿を原稿台６上に載置するあるいは取り出すと共に、操作パネル３の操作により所望の読み取りを実行させることが可能となっている。
【００１５】
図３に示すように、装置本体２における原稿台６の下方には、該原稿台６の手前側から奥側に渡って延在するキャリッジ（読み取り機構）１１が設けられる。キャリッジ１１は、光源及びＣＣＤ（Charge Coupled Device：電荷結合素子）等を備えたスキャナユニットであり、例えばその両端部をレール等で支持されることで左右方向に移動可能に設けられる。このキャリッジ１１の移動は、装置本体２に設けられた機構移動装置１２により行われるようになっている。なお、キャリッジ１１は、光源又はＣＣＤの少なくとも一方を備えたものであればよい。
【００１６】
このキャリッジ１１の移動行程の左側端を読み取り開始位置とし、右側端を読み取り終了位置とすると、該キャリッジ１１は、読み取り開始位置から終了位置まで移動する間に、原稿台６上の原稿を照明すると共にその反射光を検知することで、原稿の画像を読み取ってこれを電気信号として出力する。
【００１７】
機構移動装置１２は、装置本体２におけるキャリッジ１１の読み取り開始位置及び終了位置の近傍であって例えば奥側において、該奥側から手前側に渡る方向（以下、前後方向という）に沿う軸を中心に回転可能な駆動プーリ１３及び従動プーリ１４を有する。これら各プーリ１３，１４にはベルト１５が掛け回され、該ベルト１５にキャリッジ１１の一端部が取り付けられる。そして、駆動プーリ１３が不図示のモータ等により例えば正転方向に回転駆動すると、ベルト１５と共にキャリッジ１１が右側に移動し、逆転方向に回転駆動すると、キャリッジ１１が左側に移動するようになっている。
【００１８】
ここで、プラテンカバー７の左寄りであって手前側の部位には、原稿台６上の原稿の有無を認識可能な透過部２１が設けられている。該透過部２１は、不透明なプラテンカバー７本体に対して例えば透過性樹脂からなるもので、この透過部２１を通じて原稿台６上の原稿を視認可能とされる。なお、透過部２１がプラテンカバー７の左寄りに設けられるのは、原稿台６に対して小型の原稿であっても視認可能とするためであり、かつ透過部２１がプラテンカバー７の手前側に設けられるのは、画像形成装置１の手前側に立った利用者からの視認性を高めるためである。
【００１９】
そして、プラテンカバー７には、原稿読み取り時に機構移動装置１２と連動して透過部２１を裏側（原稿台６側）から覆うことが可能なカバー部材２２が設けられている。
図４を併せて参照して説明すると、カバー部材２２は、例えば前後方向に延在する板状のもので、その両端部をレール等で支持されることで左右方向に移動可能に設けられる。このカバー部材２２の移動は、プラテンカバー７に設けられたカバー移動装置２３により行われるようになっている。
【００２０】
カバー移動装置２３は、プラテンカバー７の例えば左右端部において、前後方向に沿う軸を中心に回転可能なカバー側駆動プーリ２４及びカバー側従動プーリ２５を有する。これら各プーリ２４，２５にはベルト２６が掛け回されており、該ベルト２６にカバー部材２２の一端部が取り付けられる。
【００２１】
カバー側駆動プーリ２４は、機構移動装置１２の駆動プーリ１３の概ね真上に位置しており、このカバー側駆動プーリ２４の奥側には第一ギヤ２７が同軸固定され、該第一ギヤ２７の下方にはこれに噛み合う第二ギヤ２８が設けられる。一方、機構移動装置１２の駆動プーリ１３の奥側には第三ギヤ１６が同軸固定され、該第三ギヤ１６の上方にはこれに噛み合う第四ギヤ１７が設けられている。
【００２２】
プラテンカバー７側の第二ギヤ２８と装置本体２側の第四ギヤ１７とは、プラテンカバー７を閉じた状態において噛み合ってこれらの間での動力伝達を可能としており、したがって、プラテンカバー７を閉じキャリッジ１１を移動させて原稿を読み取る際には、機構移動装置１２とカバー移動装置２３とが連係し、キャリッジ１１の移動に連動してカバー部材２２を移動させることが可能となっている。
【００２３】
ところで、図５，６に示すように、カバー部材２２は、キャリッジ１１が読み取り開始位置にあるときには、透過部２１の右側に位置してこれを覆うことなく（このときのカバー部材２２の位置をその初期位置とする）、キャリッジ１１が図５中矢印Ｆ１で示す如く右側へ移動を開始した際には、これに連動して図６中矢印Ｆ２で示す如く左側に移動し、図６中鎖線で示す如く透過部２１をその裏側から覆うようになっている。また、キャリッジ１１が図５中矢印Ｆ３で示す如く左側へ移動した際には、これに連動してカバー部材２２が図６中矢印Ｆ４で示す如く右側に移動して前記初期状態へ戻ると共に透過部２１を開放するようになっている。
【００２４】
このときのカバー部材２２の移動ストロークは、キャリッジ１１が読み取り開始位置から終了位置（図５中鎖線で示す）まで移動する際のストロークよりも少ないものであるが、このストローク差は、例えば第一ギヤ２７内にスリップクラッチを内装すると共に、カバー部材２２を所定位置で停止させるべくプラテンカバー７にストッパを設ける等により解消されている。なお、カバー部材２２は前記初期位置に向けて付勢されており、例えばその移動途中にプラテンカバー７が開き各移動装置１２，２３の連係が解除されたとしても、自身への付勢力により速やかに初期位置に戻るようになっている。
【００２５】
ここで、図３，５に示すように、装置本体２における原稿台６の下方であって透過部２１の直下となる位置には、上面視で透過部２１とほぼ重なるようにマーカー部１８が設けられている。該マーカー部１８は、例えば赤色等の目立つ色彩を有するもので、このようなマーカー部１８が透過部２１から見えるときには原稿台６に原稿がなく、マーカー部１８が見えないときには原稿台６に原稿があるというように、利用者が原稿の有無を容易に認識することが可能となっている。
【００２６】
以上説明したように、上記実施例における画像形成装置の原稿取り忘れ防止装置は、読み取るべき原稿を載置する原稿台６をプラテンカバー７により開閉可能に覆う画像形成装置１に適用されるものであって、プラテンカバー７に、原稿台６上の原稿の有無を認識可能な透過部２１を設けると共に、原稿読み取り時にはキャリッジ１１の移動に連動して透過部２１をプラテンカバー７の裏側から覆うカバー部材２２を設けたものである。
【００２７】
この構成によれば、原稿の読み取りを終了した後に閉状態のプラテンカバー７の透過部２１を見れば、プラテンカバー７を開けることなく原稿台６上の原稿の有無を認識することが可能となる。また、原稿読み取り時にはキャリッジ１１の移動に連動して透過部２１がカバー部材２２で覆われることで、原稿に照射された光が透過部２１から外部に透過することによる原稿の読み取り環境の変化を防止することが可能となる。
すなわち、原稿の有無を確認するためにプラテンカバー７を開閉するという煩雑な作業を省略し、かつ原稿読み取り品質への悪影響を防止した上で、原稿の取り忘れを確実に防止することができるという効果がある。
【００２８】
また、上記原稿取り忘れ防止装置は、画像形成装置１に、キャリッジ１１を移動させるための機構移動装置１２を設けると共に、プラテンカバー７に、該プラテンカバー７の閉時に機構移動装置１２と連係することでキャリッジ１１とカバー部材２２とを連動させるカバー移動装置２３を設けたものである。
【００２９】
この構成によれば、プラテンカバー７側には何ら駆動源を必要とせず、機構移動装置１２の駆動力を有効利用することで、この機構移動装置１２と連係するカバー移動装置２３によりカバー部材２２を移動させて透過部２１を覆うことが可能となる。
すなわち、プラテンカバー７の構造を簡素化することで、重量及びコストの低減を図ることができるとう効果がある。
【００３０】
さらに、上記原稿取り忘れ防止装置は、原稿台６の下方に、該原稿台６上に原稿が載置されていない場合には透過部２１から視認可能となるマーカー部１８を設けたものである。
【００３１】
この構成によれば、透過部２１からマーカー部１８が見えるか見えないかにより、原稿台６上に原稿があるか否かを容易かつ確実に認識することが可能となる。
すなわち、原稿の取り忘れをより確実に防止できると共に利用者の作業負担を軽減できるという効果がある。
【図面の簡単な説明】
【００３２】
【図１】この発明の実施例における画像形成装置の正面図である。
【図２】上記画像形成装置の側面図である。
【図３】上記画像形成装置の要部を示す斜視図である。
【図４】上記要部の側面図である。
【図５】図４におけるＡ−Ａ断面図である。
【図６】図４におけるＢ−Ｂ断面図である。
【符号の説明】
【００３３】
１  画像形成装置
６  原稿台
７  プラテンカバー
１１  キャリッジ（読み取り機構）
１２  機構移動装置
１８  マーカー部
２１  透過部
２２  カバー部材
２３  カバー移動装置
Ｇ  原稿
【図１】
2006129141.tif 000003
【図２】
2006129141.tif 000004
【図３】
2006129141.tif 000005
【図４】
2006129141.tif 000006
【図５】
2006129141.tif 000007
【図６】
2006129141.tif 000008